【事件の表示】
　特許第３１５３７４９号「ＩＣカードリーダ」の請求項１ないし４に係る特許に対する特許異議の申立てについて、次のとおり決定する。
【結　論】
　訂正を認める。
　特許第３１５３７４９号の請求項１ないし４に係る特許を維持する。
【理　由】
１．手続の経緯
特許出願　　　　　　　　　　　　　　　平成７年１２月１３日
特許権設定登録　　　　　　　　　　　　平成１３年１月２６日
特許異議申立て（異議申立人　長谷部浩明、請求項１乃至４に係る特許に対　　　　　　　　して）
　　　　　　　　　　　　　　　　　　　平成１３年１０月９日
　　　　　　　　（異議申立人　砂場哲郎、請求項１乃至４に係る特許に対　　　　　　　　して）
　　　　　　　　　　　　　　　　　　　平成１３年１０月９日
取消理由通知　（請求項１乃至４に係る特許に対して）
　　　　　　　　　　　　　　　　　　　平成１３年１２月３日
訂正請求　　　　　　　　　　　　　　　平成１４年２月１２日
訂正拒絶理由通知　　　　　　　　　　　平成１４年３月２６日
訂正請求書の補正　　　　　　　　　　　平成１４年６月４日
　
２．訂正の適否
（１）訂正の内容
　訂正の内容は、平成１４年６月４日付け手続補正書により補正された平成１４年２月１２日付けの訂正請求書及びそれに添付された訂正明細書の記載からみて、次のとおりである。
（ｉ）特許請求の範囲の請求項１中の「上記カード走行路を挟んだ他方側の上記カード走行路に近接して設けられ・・・信号伝達部」を
「上記カード走行路を挟んだ他方側の上記カード走行路に近接して
且つ上記接点ブロックと対向するように
（ｉｉ）明細書の段落【0004】【0040】について、それぞれ
「・・・上記カード走行路を挟んだ他方側の上記カード走行路に近接して設けられ・・・」とあるのを
「・・・上記カード走行路を挟んだ他方側の上記カード走行路に近接して
且つ上記接点ブロックと対向するように
（ｉｉｉ）特許請求の範囲の請求項２中の「上記カード走行路を挟んだ他方側の上記カード走行路を形成するフレームに取り付けられ、上記共用ストッパーにより停止され上記近接型ＩＣカードの非接触式入出力端子と信号の授受を行う信号伝達部」を
「上記カード走行路を挟んだ他方側の上記カード走行路を形成するフレームに
上記接点ブロックと対向するように
た
（ｉｖ）明細書の段落【0005】【0041】について、それぞれ
「・・・上記カード走行路を挟んだ他方側の上記カード走行路を形成するフレームに取り付けられ、上記共用ストッパーにより停止され上記近接型ＩＣカードの非接触式入出力端子と信号の授受を行う信号伝達部・・・」とあるのを
「・・・上記カード走行路を挟んだ他方側の上記カード走行路を形成するフレームに
上記接点ブロックと対向するように
た
　
（２）訂正の目的の適否、新規事項の有無、及び特許請求の範囲の拡張・変更の存否
　前記訂正の内容（ｉ）は、請求項１に記載されている信号伝達部に対して、明細書（段落【0036】【0011】）及び図面の記載に基づき、明細書及び図面に記載された事項の範囲内において、信号伝達部に「上記接点ブロックと対向するように」という限定を加えるものであって、特許請求の範囲の減縮を目的とした明細書の訂正に該当し、前記訂正の内容（ｉｉ）は、前記（ｉ）の訂正に伴い、特許請求の範囲の記載と発明の詳細な説明の記載との整合をとるため、明りょうでない記載の釈明を目的とした明細書の訂正に該当し、いずれも、新規事項の追加に該当せず、実質上特許請求の範囲を拡張し、又は変更するものではない。
　前記訂正の内容（ｉｉｉ）は、請求項２に記載されている信号伝達部に対して、明細書（段落【0036】【0011】）及び図面の記載に基づいて、明細書及び図面に記載された事項の範囲内において、信号伝達部に「上記接点ブロックと対向するように」という限定を加えるものであって、特許請求の範囲の減縮を目的とした明細書の訂正に該当し、また、「停止され」を「停止された」とする訂正は、明細書（段落【0030】【0031】）の記載に基づいて訂正されるもので、誤記の訂正を目的とするものにあたる。前記訂正の内容（ｉｖ）は、前記（ｉｉｉ）の訂正に伴い、特許請求の範囲の記載と発明の詳細な説明の記載との整合をとるため、明りょうでない記載の釈明を目的とした明細書の訂正に該当し、いずれも、新規事項の追加に該当せず、実質上特許請求の範囲を拡張し、又は変更するものではない。
　
（３）むすび
　したがって、前記訂正は、特許法第１２０条の４第２項及び第３項において準用する同法第１２６条第２項及び第３項の規定に適合するので、この訂正を認める。
　
３．特許異議の申立てについての判断
（１）異議申立てについての概要
　異議申立人　長谷部浩明は、次の甲第１号証乃至５号証より、請求項１乃至４に係る発明の特許は、特許法第２９条第２項の規定に違反してなされたものであるから取り消すべき旨主張している。
甲第１号証；特開昭６３−２４４１９０号公報
甲第２号証；実願平３−３８５５９号〔実開平４−１３２５７２号〕のマイクロフィルム
甲第３号証；特開平２−９２６９３号公報
甲第４号証；特開昭６２−２０４３９４号公報
甲第５号証；特開平１−１１１２８９号公報
　
　異議申立人　砂場哲郎は、次の甲第１号証乃至４号証より、請求項１乃至４に係る発明の特許は、特許法第２９条第２項の規定に違反してなされたものであるから取り消すべき旨主張している。
甲第１号証；特開昭６３−２４４１９０号公報
甲第２号証；特開平５−６７２５０号公報
甲第３号証；実開平４−１３２５７２号公報
甲第４号証；特開平１−３１１３９２号公報
　
（２）本件発明
　本件特許第３１５３７４９号の請求項１、２、３、４に係る発明は、補正された訂正請求書及び訂正明細書の記載からみて、訂正明細書の特許請求の範囲の請求項１乃至４に記載された次の事項により特定されるとおりのものである。（以下、前記請求項に係る発明を、それぞれ「本件発明１」、「本件発明２」、「本件発明３」、「本件発明４」という。）
「【請求項１】カード表面に接触式入出力端子を有する接触式ＩＣカードとカード内に非接触式入出力端子を有する近接型ＩＣカードとが共通走行可能なカード走行路と、
上記カード走行路中に位置して上記接触式ＩＣカード及び近接型ＩＣカードの停止位置を規制する共用ストッパーと、
上記カード走行路を挟んだ一方側に設けられ上記共用ストッパーにより停止された上記接触式ＩＣカードの接触式入出力端子に当接する接点ブロックと、
上記カード走行路を挟んだ他方側の上記カード走行路に近接して且つ上記接点ブロックと対向するように設けられ上記共用ストッパーにより停止された上記近接型ＩＣカードの非接触式入出力端子と信号の授受を行う信号伝達部とを備えたＩＣカードリーダ。
【請求項２】カード表面に接触式入出力端子を有する接触式ＩＣカードとカード内に非接触式入出力端子を有する近接型ＩＣカードとが共通走行可能なカード走行路と、
上記カード走行路中に位置して上記接触式ＩＣカード及び近接型ＩＣカードの停止位置を規制する共用ストッパーと、
上記カード走行路を挟んだ一方側に設けられ上記共用ストッパーにより停止された上記接触式ＩＣカードの接触式入出力端子に接離移動可能に設けられた接点ブロックと、
上記カード走行路を挟んだ他方側の上記カード走行路を形成するフレームに上記接点ブロックと対向するように取り付けられ、上記共用ストッパーにより停止された上記近接型ＩＣカードの非接触式入出力端子と信号の授受を行う信号伝達部とを備えたＩＣカードリーダ。
【請求項３】上記接触式ＩＣカード及び近接型ＩＣカードを上記カード走行路で搬送させると共に、停止信号が入力されると停止する搬送機構を設け、上記接点ブロック及び信号伝達部を上記共用ストッパーにより上記接触式ＩＣカード及び近接型ＩＣカードが停止する所定位置に配置し、上記共用ストッパーを上記カード走行路に対して進退自在とするストッパ機構を設けたことを特徴とする請求項１または２記載のＩＣカードリーダ。
【請求項４】上記搬送機構は、少なくとも１組みの搬送ローラを有し、この搬送ローラ対は、上記接触式ＩＣカード及び近接型ＩＣカードに形成される磁気ストライプやエンボス文字部を避けて配置されたことを特徴とする請求項３記載のＩＣカードリーダ。」
　
（３）本件発明１に対して
　当審が通知した取消しの理由に引用された刊行物１（特開昭６３−２４４１９０号公報；甲第１号証）には、次の事項が記載されている。
「磁気ストライプを併せ持つＩＣカードにも各種のタイプがある。例えば、第４図に示されているように、挿入方向先端側の一面に内蔵ＩＣにつながる接点４２を設ける・・・ＩＣカード４０や、第５図に示されているように、一面側に磁気ストライプ４６を、他面側であって挿入方向後端側に内蔵ＩＣにつながる接点４７を形成したＩＣカード４５がある。その他両面に磁気ストライプを形成したものなどもある。
　このように、ＩＣカードには各種タイプがある・・・そこで、各種ＩＣカードに対応するために、磁気ヘッド及び端子部をカード通路の両側に配置することが考えられるが、その場合、より少ないスペースの中に磁気ヘッドと端子部とを配置することが望まれる。」（第１頁右下欄１０行〜第２頁左上欄９行）
「カード通路１５を挟んでカード搬送方向にずらして二つの端子部１９，３９を配置し、これら二つの端子部１９，３９の間にカード位置を決めるためのストッパ１１を配置し、上記二つの端子部１９，３９を選択的にカード接点に接触させるようにしたため、ストッパ部は一つで足り、・・・ストッパ部は、必ずしも二つの端子部の中間部に配置する必要はなく、二つの端子部よりもカード挿入口側又は奥方に設けてもよい。第３図はそのような変形実施例の概略を示すもので、二つの端子部１９，３９よりもカード挿入口側にストッパ部５１が配置されている。５５はＩＣカードであり、カード５５の一端をストッパ部５１に当接させて位置決めした状態で端子部１９，３９のうちの一方を選択的にカード５５の接点に接触させる。」（第４頁左上欄６行〜右上欄１３行）
　また、同じく引用された刊行物２（実願平３−３８５５９号〔実開平４−１３２５７２号〕のマイクロフィルム）には、１台の非接触式ＩＣカード質問器により非接触式ＩＣカードと接触式ＩＣカードの何れのカードでも使用を可能にすることを目的とし、非接触式ＩＣカード質問器自体に、接触式ＩＣカードリーダーライターと、同じ機能を有する接触式ＩＣカード用コネクタ部を付加すること（要約から抽出）、非接触ＩＣカードと非接触ＩＣカード質問器とのデータ授受において、非接触式ＩＣカード質問器１の空中線部５，１０を介してマイクロ波を変調、復調してデータを送受信する旨のこと（【0009】【0010】から抽出）、接触式ＩＣカード１１とのデータの授受において、接触式ＩＣカードが１１が非接触式ＩＣカード質問器１のカード挿入口に挿し込まれると、接触式ＩＣカード用コネクタ部１２を介して接触式ＩＣカード１１とコントロールユニット部６とが有線接続されること（【0011】から抜粋）が記載されている。
　
　本件発明１と刊行物１のものを対比すると、本件発明１の接触式ＩＣカードと近接型ＩＣカードとを１台のＩＣカードリーダで処理することについての構成、すなわち、
（Ａ）；「カード表面に接触式入出力端子を有する接触式ＩＣカードとカード内に非接触式入出力端子を有する近接型ＩＣカードとが共通走行可能なカード走行路」及び
（Ｂ）；「カード走行路を挟んだ他方側の上記カード走行路に近接して且つ上記接点ブロックと対向するように設けられ上記共用ストッパーにより停止された上記近接型ＩＣカードの非接触式入出力端子と信号の授受を行う信号伝達部とを備えたＩＣカードリーダ」
は、刊行物１には記載されていない。
　刊行物１に示されたＩＣカードリーダが対象とする各種（複数種類）のＩＣカードとは、第４図、第５図に示されているような挿入方向先端側の一面に接点を設けたＩＣカードや、他面側であって挿入方向後端側に接点を形成したＩＣカードといった、あくまで接触式ＩＣカードの範囲内の各種のＩＣカードについて示され、接触式ＩＣカードと非接触式ＩＣカードを対象とすることについては記載ないし示唆されていない。また、ＩＣカード挿入方向の先端側と後端側のいずれの接点であっても、これら接点とカードリーダの端子部とを接触させるため、カード通路を挟んでカード搬送方向にずらして二つの端子部１９，３９を配置することは記載されているが、カード走行路を挟んだ他方側の上記カード走行路に近接して且つ上記接点ブロックと対向するように設けられ上記共用ストッパーにより停止された上記近接型ＩＣカードの非接触式入出力端子と信号の授受を行う信号伝達部とを備えたことについては記載されていない。
　刊行物２には、接触式ＩＣカードと近接型ＩＣカードとが共通走行可能なカード走行路は記載されておらず、端子部の配置などの具体的な構成は何ら記載されていない。
　そして、刊行物１のものと刊行物２のものを組み合わせたとしても、前記の（Ａ）と（Ｂ）の構成を備えるものとならず、また、これを容易に想到し得るとする合理的な理由は見いだせない。
　異議申立人　長谷部浩明が提出した甲第３号証（特開平２−９２６９３号公報）には、非接触結合方式を採用するＩＣカード、接触、非接触、いずれの結合方式においてもＩＣカードリーダライタはＩＣカードを適正な位置に位置決めし、リーダライタとの間で信号の授受を行うことは記載されているが（第２頁右上欄９行〜左下欄１行から抽出）、前記の（Ａ）と（Ｂ）の構成については記載されていない。
　同じく甲第４号証（特開昭６２−２０４３９４号公報）には、ＩＣカードが所定の位置に至ったことをストッパ近傍に設けられたセンサが検出し、この検出信号によりカードの搬送が停止される点は記載されており（３頁左下欄１８行〜右下欄３行）、同じく甲第５号証（特開平１−１１１２８９号公報）には、カードセンサがＩＣカードを検知したとき搬送を停止し、これによってこのＩＣカードは接点接続可能エリアで停止する点は記載されているが（第２頁右上欄２０行〜左下欄４行）、前記の（Ａ）と（Ｂ）の構成については記載されていない。
　異議申立人　砂場哲郎が提出した甲第２号証（特開平５−６７２５０号公報）には、「光学的記録領域とＩＣカード領域が設けられた複合型カードの前記光学的記録領域に光ビームを照射して光学的に記録再生を行うための光学ヘッドと、光学ヘッドを走査する走査手段と、前記ＩＣカード領域の接点に電気的に接続可能な記録再生用接点を有する複合型カードの記録再生装置」【請求項１から抜粋】、「光カード領域２とＩＣチップ領域３面が反対面に構成されたハイブリッドカードの場合には（図２において、ＩＣカード領域３が裏面に形成されたもの、つまり一方の面の一方の側に光カード領域が形成され、他方の面の他方の側にＩＣカード領域が形成されたもの。）、図７の接点ホルダ６の天地を反対にすれば簡単に対応できる。」（【0075】から抜粋）が記載されているが、甲第２号証は、複合型カードについての技術であり、本件発明１の、前記の（Ａ）の接触式ＩＣカードと近接型ＩＣカードとが共通走行可能なカード走行路は記載されておらず、また、図２に示された複合型カードは、一方の面上の一方の側に光カード領域が形成されるとともに前記一方の面の他方の側にＩＣカード領域が形成されているので、前記天地を反対にした場合であっても、光学ヘッドと記録再生用接点とは、搬送路を挟んでずらして設けられることになり、この記載内容からは、本件発明１の、走行路を挟んだ他方側の上記カード走行路に近接して且つ上記接点ブロックと対向するように設けられた信号伝達部の構成まで記載ないし示されているということはできない。
　同じく甲第４号証（特開平１−３１１３９２号公報）には、磁気ストライプカード又はＩＣカードのいずれかを処理できる操作性の優れたカード取扱い装置について記載されているが、前記の（Ａ）と（Ｂ）の構成については記載されていない。
　結局、刊行物１、２並びに前記甲各号証には、前記の（Ａ）と（Ｂ）に係る構成については記載されておらず、本件発明１が、これらに記載された発明に基いて当業者が容易に発明をすることができたものであるとすることはできない。
　
（４）本件発明２に対して
　本件発明２と刊行物１、２並びに甲各号証との対比については、前記本件発明１の場合と同様のことがいえ、本件発明２の「カード表面に接触式入出力端子を有する接触式ＩＣカードとカード内に非接触式入出力端子を有する近接型ＩＣカードとが共通走行可能なカード走行路」、「上記カード走行路を挟んだ他方側の上記カード走行路を形成するフレームに上記接点ブロックと対向するように取り付けられ、上記共用ストッパーにより停止された上記近接型ＩＣカードの非接触式入出力端子と信号の授受を行う信号伝達部とを備えたＩＣカードリーダ」の構成についてはいずれにも記載されておらず、本件発明２が、これらに記載された発明に基いて当業者が容易に発明をすることができたものであるとすることはできない。
　
（５）本件発明３に対して
　本件発明３は、請求項１または２記載のＩＣカードリーダであり、本件発明１または２の要件を備えるので、同様に、本件発明３が、刊行物１、２並びに甲各号証に記載された発明に基いて当業者が容易に発明をすることができたものであるとすることはできない。
　
（６）本件発明４に対して
　本件発明４は、請求項３記載のＩＣカードリーダであり、本件発明３の要件を備えるので、同様に、本件発明４が、刊行物１、２並びに甲各号証に記載された発明に基いて当業者が容易に発明をすることができたものであるとすることはできない。
　
（７）むすび
　以上のとおりであるから、本件発明１乃至４についての特許は、特許異議申立ての理由及び証拠によっては取り消すことはできない。
　また、他に本件発明１乃至４についての特許を取り消すべき理由を発見しない。
　よって、結論のとおり決定する。
【異議決定日】
平成１４年６月１８日（２００２．６．１８）
【訂正の要旨】
　訂正の要旨
（ｉ）　特許請求の範囲の請求項１中の「上記カード走行路を挟んだ他方側の上記カード走行路に近接して設けられ上記共用ストッパーにより停止された上記近接型ＩＣカードの非接触式入出力端子と信号の授受を行う信号伝達部」を、
特許請求の範囲の減縮を目的として、「上記カード走行路を挟んだ他方側の上記カード走行路に近接して
且つ上記接点ブロックと対向するように
（ｉｉ）　上記（ｉ）の訂正に伴い、特許請求の範囲の記載と発明の詳細な説明の記載との整合をとるため、明瞭でない記載の釈明を目的として、明細書の段落【０００４】【００４０】を下記の通り訂正します。
「【０００４】
　【課題を解決するための手段】
　そこで、請求項１記載の発明では、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に当接する接点ブロックと、上記カード走行路を挟んだ他方側の上記カード走行路に近接して
且つ上記接点ブロックと対向するように
「【００４０】
　【発明の効果】
　請求項１記載の発明によれば、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に当接する接点ブロックと、上記カード走行路を挟んだ他方側の上記カード走行路に近接して
且つ上記接点ブロックと対向するように
（ｉｉｉ）　特許請求の範囲の請求項２中の「上記カード走行路を挟んだ他方側の上記カード走行路を形成するフレームに取り付けられ、上記共用ストッパーにより停止され上記近接型ＩＣカードの非接触式入出力端子と信号の授受を行う信号伝達部」を、
特許請求の範囲の減縮および誤記の訂正を目的として、「上記カード走行路を挟んだ他方側の上記カード走行路を形成するフレームに
上記接点ブロックと対向するように
た
（ｉｖ）　上記（ｉｉｉ）の訂正に伴い、特許請求の範囲の記載と発明の詳細な説明の記載との整合をとるため、明瞭でない記載の釈明を目的として、明細書の段落【０００５】【００４１】を下記の通り訂正します。
「【０００５】
　請求項２記載の発明では、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に接離移動可能に設けられた接点ブロックと、上記カード走行路を挟んだ他方側の上記カード走行路を形成するフレームに
上記接点ブロックと対向するように
た
「【００４１】
　請求項２記載の発明によれば、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に接離移動可能に設けられた接点ブロックと、上記カード走行路を挟んだ他方側の上記カード走行路を形成するフレームに
上記接点ブロックと対向するように
た
（５４）【発明の名称】
ＩＣカードリーダ
（５７）【特許請求の範囲】
　【請求項Ｉ】　カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に当接する接点ブロックと、上記カード走行路を挟んだ他方側の上記カード走行路に近接して
且つ上記接点ブロックと対向するように
　【請求項２】　カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に接離移動可能に設けられた接点ブロックと、上記カード走行路を挟んだ他方側の上記カード走行路を形成するフレームに
上記接点ブロックと対向するように
た
　【請求項３】　上記接触式ＩＣカード及び近接型ＩＣカードを上記カード走行路で搬送させると共に、停止信号が入力されると停止する搬送機構を設け、上記接点ブロック及び信号伝達部を上記共用ストッパーにより上記接触式ＩＣカード及び近接型ＩＣカードが停止する所定位置に配置し、上記共用ストッパーを上記カード走行路に対して進退自在とするストッパ機構を設けたことを特徴とする請求項１または２記載のＩＣカードリーダ。
　【請求項４】　上記搬送機構は、少なくとも１組みの搬送ローラを有し、この搬送ローラ対は、上記接触式ＩＣカード及び近接型ＩＣカードに形成される磁気ストライプやエンボス文字部を避けて配置されたことを特徴とする請求項３記載のＩＣカードリーダ。
【発明の詳細な説明】
　【０００１】
　【発明の属する技術分野】
　本発明は、接触式や非接触式の入出力端子と共に集積回路（ＩＣチップ）を有するＩＣカードを処理するＩＣカードリーダに関するものである。
　【０００２】
　【従来の技術】
　磁気カードに比べて大量に情報の記録／再生を行えることからＩＣチップを内蔵したＩＣカードが実用化されている。ＩＣカードは、ＩＣチップの接触入出力端子に、このカードに対して情報の記録／再生を行うカードリーダに設けた接点を接触させて情報の授受を行う接触式が一般に使用されている。この接触式入出力端子に接点を接触させる場合、カード走行路内の先端に配置したストッパ部材に当接させて同カードを停止させて接点を接触させている。これに対して、コイルや金属板等で構成される非接触入出力端子をカードに内蔵し、この非接触入出力端子に対して、コイルや金属板で構成した信号伝達部を配置し、この信号伝達部に情報を載せた電流を供給して、非接触入出力端子と信号伝達部との間に電磁誘導や静電容量により電位差を発生させ、この発生した電子差を変換して情報の授受を行う非接触式のＩＣカードが研究されている。この非接触式のＩＣカードとしては、例えば、国際標準化機構（ＩＳＯ）規格１０５３６で検討されている近接型ＩＣカードが挙げられる。
　【０００３】
　【発明が解決しようとする課題】
　このように既に実用化されている接触式ＩＣカードと研究中の近接型ＩＣカードとでは、情報の記録再生（授受）方法が異なるので、各カードに対応するカードリーダ（情報記録再生装置）を設ける必要がある。しかし、カード別にカードリーダを設けることは、コスト高やスペース大等の問題を含んでいるので、実用性を考慮した場合、接触式ＩＣカードと近接型ＩＣカードとを１つのカードリーダで処理できることが好ましい。また、電磁誘導結合の近接型ＩＣカードに対して情報の授受を行う場合でも、現在検討されている方式では、非接触入出力端子と信号伝達部とを対向させるので、近接型ＩＣカードを停止させる必要がある。加えて、接触式ＩＣカードと非接触ＩＣカードとに、磁気情報を記録再生可能な磁気ストライプが設けられたり、エンボス文字が形成される場合、双方のカードの搬送の際に磁気ストライプやエンボス文字に搬送ローラ等がかかってしまうとカードの耐久性に問題が発生することが懸念される。一般にＩＣカードは、汎用されている磁気カードに比べてコストが高いので、耐久性の問題に関することは技術的な課題として重要である。
　【０００４】
　【課題を解決するための手段】
　そこで、請求項１記載の発明では、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に当接する接点ブロックと、上記カード走行路を挟んだ他方側の上記カード走行路に近接して
且つ上記接点ブロックと対向するように
　【０００５】
　請求項２記載の発明では、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に接離移動可能に設けられた接点ブロックと、上記カード走行路を挟んだ他方側の上記カード走行路を形成するフレームに
上記接点ブロックと対向するように
た
　【０００６】
　請求項３記載の発明では、上記接触式ＩＣカード及び近接型ＩＣカードを上記カード走行路で搬送させると共に、停止信号が入力されると停止する搬送機構を設け、上記接点ブロック及び信号伝達部を上記共用ストッパーにより上記接触式ＩＣカード及び近接型ＩＣカードが停止する所定位置に配置し、上記共用ストッパーを上記カード走行路に対して進退自在とするストッパ機構を設けた。
　【０００７】
　請求項４記載の発明では、上記搬送機構を、少なくとも１組みの搬送ローラを有し、この搬送ローラ対は、上記接触式ＩＣカード及び近接型ＩＣカードに形成される磁気ストライプとエンボス文字部とを避けて配置した。
　【０００８】
　【実施例】
　以下、本発明の実施例を図面を用いて説明する。図１に符号１で示すＩＣカードリーダは、種類の異なるＩＣカードＣを処理するカード処理装置である。ここで種類の異なるＩＣカードＣとは、図５に示すように、カード表面Ｃ１Ａに接触式入出力端子２を有する接触式ＩＣカードＣ１（以下「接触カードＣ１」と記す）及び非接触式入出力端子３を有する近接型ＩＣカードＣ２（以下「近接カードＣ２」と記す）とが挙げられる。
　【０００９】
　接触カードＣ１は、図５（ａ）に示すように、カード表面Ｃ１Ａの先端Ｃ１ｃに接触式入出力端子２（以下、「接触端子２」と記す）が配置されている。この接触端子２は、図示しないＩＣチップと接続している。カード表面Ｃ１Ａにおける中央より下方には、エンボス文字が設けられる文字エリアＣ１ｂが形成されている。カード裏面Ｃ１Ｂの一側には、磁気情報が記録／再生される磁気ストライプＣ１ａが設けられている。
　【００１０】
　近接カードＣ２は、図５（ｂ）に示すように、カード表面Ｃ２Ａにエンボス文字が設けられるエンボス文字部Ｃ２ｂが形成されている。カード裏面Ｃ２Ｂの一側には、磁気情報が記録／再生される磁気ストライプＣ２ａが設けられている。近接カードＣ２の内部には、複数のコイル５，５、６，６及び導体となる複数の金属板７から構成された非接触式入出力端子３（以下、「非接触端子３」と記す）が設けられている。この非接触端子３は、図示しないＩＣチップと接続しており、後述するＩＣモジュール１１から供給される電圧変化によりコイル５，５、６，６や金属板７に発生する起電力や静電容量の変化による電位差（電圧）を変換して、ＩＣチップに対しで情報として入出力するようになっている。
　【００１１】
　ＩＣカードリーダ１は、図１，図２に示すように、接触カードＣ１及び近接カードＣ２が共通走行されるカード走行路９と、カード走行路９を挟んだ一方側となる走行路上方に配置され接触端子２と当接する接点ブロック１０と、カード走行路９を挟んだ他方側となる走行路下方に配置され、非接触端子３と信号の授受を行う信号伝達部となるＩＣモジュール１１と、接触カードＣ１と近接カードＣ２を搬送する搬送機構１２及び、カードストッパ機構１３とを備えている。
　【００１２】
　ＩＣカードリーダ１には、磁気ストライプＣ１ａ，Ｃ２ａと磁気情報の授受（記録／再生）を行う磁気カードリーダ１００が接続している。磁気カードリーダ１００は、図示しない磁気ヘッドと磁気ストライプＣ１ａ，Ｃ２ａとの間で磁気情報の授受を行い情報の記録／再生を行うと共に、図示しないカードセンサから接触カードＣ１か近接カードＣ２であるかを区別する種別信号Ｖ１，Ｖ２を制御手段４に入力している。さらに、磁気カードリーダ１００の図示しないカード搬送路とカード走行路９とは連続しており、磁気情報の授受を終えた接触カードＣ１及び近接カードＣ２をＩＣカードリーダ１に向かって図示しない搬送手段で搬送している。なお、この搬送手段を構成すると駆動モータには、搬送機構１２が接続している。
　【００１３】
　搬送機構１２は、搬送ローラ対１２０，１２１と駆動伝達部を構成する駆動プーリ１２３，１２４，１２５とを備えている。駆動プーリ１２３，１２４は一体形成されて駆動軸１４に固定されており、駆動プーリ１２５は駆動軸１５に固定されている。駆動プーリ１２４，１２５には、伝達ベルト１２６が巻き掛けられ、駆動プーリ１２３には、磁気カードリーダ１００の図示しない駆動モータで駆動されるベルト１２７が巻き掛けられている。
　【００１４】
　搬送ローラ対１２０は、駆動軸１４に固定された駆動ローラ１２０ａと、同駆動ローラ１２０ａに対向配置されて軸１６に固定された従動ローラ１２０ｂとから構成されている。搬送ローラ対１２０は、図２、図３に示すように、フレーム１Ａ，１Ｂでその側面を構成されたカード走行路９の幅方向（矢印Ｗ）にそれぞれ配置されている。駆動軸１４及び軸１６は、それぞれフレーム１Ａ，１Ｂに回転自在に支持されている。
　【００１５】
　搬送ローラ対１２１は、図１に示すように駆動軸１５に固定された駆動ローラ１２１ａと同駆動ローラ１２１ａに対向配置されて軸１７に回転自在に支持された従動ローラ１２１ｂとから構成されている。搬送ローラ対１２１は、図２、図３に示すように、カード走行路９の幅方向（矢印Ｗ）にそれぞれ配置されている。駆動軸１５は、フレーム１Ａ，１Ｂに回転自在に支持されている。
　軸１７は、押圧手段を構成する板バネ１９の自由端の屈曲部１９ａ，１９ｂにそれぞれ軸止されている。板バネ１９の基端１９ｃは、図１に示すようにフレーム１Ａ，１Ｂにそれぞれビス２０で固定されており、従動ローラ１２１ｂをそれぞれ駆動ローラ１２１ａに向かって押圧付勢している。搬送ローラ対１２０，１２１は、図３，図４に示すように、エンボス文字部Ｃ１ｂ，Ｃ２ｂ及び磁気ストライプＣ１ａ、Ｃ２ａよりも外側のカード側端部Ｃ１ｄ，Ｃ１ｅ及びＣ２ｄ，Ｃ２ｅを挟持するように配置されている。
　【００１６】
　接点ブロック１０は、接触端子２と接触する複数の接点１０ａをカード走行路９に向かって突設しており、接点接離機構２１に支持されてカード走行路９に臨んでいる。接点接離機構２１は、アクチュエータである電磁ソレノイド２２、側板１Ａ，１Ｂの内側に固定されたフレーム１Ｃに軸２３で回動自在に支持された回動アーム２４とから主に構成されている。
　【００１７】
　回動アーム２４は、回動端より上方に板する上端２４ａを電磁ソレノイド２２の可動片２２ａとピン２５で結合され、回動端より左方に位置する移動端２４ｂ側に接点ブロック１０を取り付けている。電磁ソレノイド２２は、通常図示しないスプリングにより回動アーム２４を、図１に２点鎖線で示す接点１０ａがカード走行路９内から退避した退避位置に位置させている。電磁ソレノイド２２は、通電されるとオンとなり可動片２２ａが矢印ａ方向に引き込まれて回動アーム２４を同図に鎖線で示す進入位置に位置させ、接点端子２に対して接点１０ａを圧接させるようになっている。
　【００１８】
　ストッパ機構１３は図２に示すように、カード走行路９の下面を構成するフレーム１Ｄに回動自在に支持された共用ストッパとしてのストッパ部材１３３、このストッパ部材１３３をカード走行路９に対して進退駆動させる電磁ソレノイド１３１及び電磁ソレノイド１３１とストッパ部材１３３とを連結するレバー１３２から主に構成されている。レバー１３２の両端は、電磁ソレノイド１３１の可動片１３１ａとストッパ部材１３３の基端１３３ａとにピン結合されている。電磁ソレノイド１３１は、通常ストッパ部材１３３を図２に実線で示すカード走行路９から退避した退避位置におき、通電されるとオンして可動片１３１ａを矢印ｂ方向に引き込んでストッパ部材１３３の先端１３３ｂがカード走行路９内に進入する進入位置に位置させるようになっている。
　【００１９】
　ストッパ部材１３３は、図１、図２示すように、搬送ローラ対１２１よりもカード走行路９の最先端に設けられていて、搬送される各カードＣ１，Ｃ２の接触端子２と非接触端子３が接点ブロック１０とＩＣモジュール１１とに対向する所定停止で各カードＣ１，Ｃ２を停止させるように配置されている。
　【００２０】
　ＩＣモジュール１１は、カード走行路９の下面を構成するフレーム１Ｄに固定されていて、図３，図４に示すように、非接触端子３のコイル５，５、６，６と同一方向で同一巻数のコイル２６，２６、２７，２７及び金属板７と同一構成の金属版２８を備えている。ＩＣモジュール１１の下面には、図１に示すようにコネクタ２９，３０が設けられている。
　【００２１】
　コネクタ２９は各コイル２６，２７と接続し、コネクタ３０は導体となる複数の金属板２８と接続している。コネクタ２９，３０は、制御手段４と接続しており、制御手段４により供給される情報に対応して変化する電流を、コイル２６，２７及び金属板２８に供給している。コイル２６，２７及び金属板２８の何れかには、ＩＣチップ駆動用の定電圧が供給されるようになっている。
　【００２２】
　電磁ソレノイド２２の近傍には、図１に示すように、ブロック接離センサＳ１（以下、「センサＳ１」と記す）が配置されている。このセンサＳ１は、可動片２２ａが矢印ａ方向に移動すると、接離信号Ｖ３を制御手段４に出力するようになっている。
　【００２３】
　ストッパ部材１３３よりもカード挿入側に位置し、接点ブロック１０近傍のカード走行路９上には、カード位置検知センサＳ２（以下「センサＳ２」と記す）が配置されている。このセンサＳ２は光学式センサであって、ＩＣカードＣがセンサＳ２下を通ると、停止信号Ｖ４を制御手段４に出力するようになっている。
　【００２４】
　電磁ソレノイド１３１の近傍には、ストッパ可動センサＳ３（以下、「センサＳ３」と記す）が配置されている。このセンサＳ３は、可動片１３１ａが矢印ｂ方向（図２参照）に移動すると、ストッパ信号Ｖ５を制御手段４に出力するようになっている。
　【００２５】
　制御手段４は、磁気カードリーダ１００とＩＣカードリーダ１との双方を制御する制御装置であり、その要部は周知のマイクロコンピュータから主に構成されている。制御手段４は、ここでは、磁気カードリーダ１００から入力されるカード種別信号Ｖ１，Ｖ２により、挿入されたＩＣカードＣが接触カードＣ１であるか近接カードＣ２であるか判断している。制御手段４は、センサＳ２から停止信号Ｖ４が入力されると、磁気カードリーダ１００の駆動モータを停止させて搬送機構１２を停止させると共に、電磁ソレノイド１３１に通電して駆動（オン）するようになっている。さらに、制御手段４は、センサーＳ３からストッパ信号Ｖ５が入力され、その時点でのカード種別信号が接触カードＣ１用の種別信号Ｖ１であると、電磁ソレノイド２２に通電して駆動（オン）し、カード種別信号が近接カードＣ２用の種別信号Ｖ２であると、コネクタ２９，３０に定電圧と情報に対応して変化する電圧を供給するようになっいる。また制御手段４は、情報の授受が終了すると、電磁ソレノイド２２，１３１への通電をカットしてオフすると共に、駆動モータを反転駆動するようになっている。
　【００２６】
　このような構成のＩＣカードリーダ１の動作を説明する。先ず図１に示す磁気カードリーダ１００にＩＣカードＣが入力されると、図示しない駆動モータが起動して磁気カードリーダ１００内をＩＣカードＣが搬送されつつ図示しない磁気ヘッドで磁気情報の記録／再生が行われる。
　【００２７】
　駆動モータが起動すると、その回転がベルト１２７、プーリ１２３を介して搬送機構１２に伝達され、搬送ローラ対１２０，１２１が回転駆動状態となる。例えば、磁気カードリーダ１００に挿入されたＩＣカードＣが接触カードＣ１であると、種別信号Ｖ１が制御手段４に入力され、接触カードＣ１が図３に示すようにカード走行路９に搬送される。
　【００２８】
　この搬送された接触カードＣ１は、先ず搬送ローラ対１２０で挟持されてカード走行路９内を搬送される。そしてセンサＳ２で検知されて同センサＳ２から停止信号Ｖ４が出力されると駆動モータが停止すると共に、電磁ソレノイド１３１がオンされ、可動片１３１ａが図２に矢印ｂで示す方向に移動する。この可動片１３１ａが移動するとレバー１３２を介してストッパ部材１３３が実線で示す退避位置から２点鎖線で示す進入位置まで回動し、先端部１３３ｂがカード走行路９内に位置して搬送された接触カードＣ１の先端と当接する。
　【００２９】
　また、可動片１３１ａの動作をセンサＳ３が検知するとストッパ信号Ｖ５が出力され、電磁ソレノイド２２がオンされて、可動片２２ａが図１矢印ａ方向に引き込まれる。この動作に伴い、回動アーム２４が軸２３を中心に２点鎖線で示す離間位置から破線で示す当接位置まで回動変位し、接点ブロック１０が下降する。すると、図６に示すように、既にカード走行路９内で停止状態にある接触カードＣ１の接触端子２に接点ブロック１０から突出した接点１０ａが当接して接触カードＣ１に対する情報の入出力が行われる。
　【００３０】
　一方、挿入されたＩＣカードＣが近接カードＣ２であると、種別信号Ｖ２が制御手段４に入力され、近接カードＣ２が図４に示すようにカード走行路９に搬送される。この搬送された近接カードＣ２は、先ず搬送ローラ対１２０に挟持されてカード走行路９内を搬送される。そして、センサＳ２で検知されて同センサＳ２から停止信号Ｖ４が出力されると駆動モータが停止すると共に、電磁ソレノイド１３１がオンされ、可動片１３１ａが図２に矢印ｂで示す方向に移動する。この可動片１３１ａが移動するとレバー１３２を介してストッパ部材１３３が実線で示す退避位置から２点鎖線で示す進入位置まで回動し、先端部１３３ｂがカード走行路９内に進入して図７に示すように、近接カードＣ２と当接し非接触端子３とＩＣモジュール１１とが対向するように近接カードＣ２が停止される。
　【００３１】
　可動片１３１ａの動作をセンサＳ３が検知するとストッパ信号Ｖ５が出力され、コネクタ２９，３０を介してコイル２６，２６、２７，２７及び複数の金属板２８に電圧が供給される。すると、コイル２６，２６、２７，２７とコイル５，５、６，６の間には、情報に対応して変化して供給される可変電圧により起電力が変化して発生すると共に、その変化による電位差（電圧）が発生し、金属板２８と金属板７との間には、静電容量の変化による電位差（電圧）が発生して、この電位差を変換して近接カードＣ２に対する情報の入出力が行われる。
　【００３２】
　接触カードＣ１及び近接カードＣ２に対する情報に入出力が終了すると、電磁ソレノイド２２，１３１への通電が断たれてオフとなる。すると、ストッパ部材１３３及び接点ブロック１０がカード走行路９から図示しないバネのバネ力により退避すると共に、駆動モータが搬送時と反転駆動される。この反転駆動によりカード走行路９内のＩＣカードＣが挿入側に向かって復動して、ＩＣカードリーダ１及びそれに連結する磁気カードリーダ１００から排出される。
　【００３３】
　このように、ＩＣカードリーダ１内に、接触カードＣ１の接触端子２に当接しで情報の入出力を行う接点ブロック１０と、近接カードＣ２の非接触端子３と対向して情報の入出力を電位差で行うＩＣモジュール１１と、ストッパ部材１３３とを設けたので、接触カードＣ１と近接カードＣ２を共通のストッパ１３３で停止させることができ、接触カードＣ１と近接カードＣ２の双方に対応することが可能となる。加えて、カード走行路９を搬送される接触カードＣ１及び近接カードＣ２は、１つのストッパ部材１３３でカード走行路９内の所定位置で停止されるので、ストッパ部材１３３を個別に設ける必要もなくなる。
　【００３４】
　搬送ローラ対１２０，１２１をエンボス文字部Ｃ１ｂ，Ｃ２ｂや磁気ストライプＣ１ａ、Ｃ２ａを避けて配置したので、エンボス文字部Ｃ１ｂ，Ｃ２ｂや磁気ストライプＣ１ａ、Ｃ２ａを搬送ローラ対１２０，１２１で挟持せずにＩＣカードＣを搬送することが可能となる。このことは、搬送ローラ対１２０，１２１に挟持されることによるエンボス文字部Ｃ１ｂ，Ｃ２ｂや磁気ストライプＣ１ａ、Ｃ２ａの減りや汚れを低減でき、ＩＣカードＣの耐久性向上につながる。
　【００３５】
　ストッパ部材１３３が、電磁ソレノイド１３３によりカード搬送路９に対して進退するので、接触カードＣ１及び近接カードＣ２がカード搬送路９内を通過可能となる。この場合、駆動モータは、情報の入出力の停止後に反転駆動させずに、取り込み時と同じ方向に回転駆動させる。このように構成すると、ＩＣカードリーダ１内をＩＣカードＣが通過できるので、カード搬送方向の自由度が増し、ＩＣカードリーダ１と他の機器とのバリエーションを多くできる。
　【００３６】
　接点ブロック１０及びＩＣモジュール１１をカード走行路９を挟んで対向して設け、かっ、カード停止時に、接触端子２と接点ブロック１０及び非接触端子３とＩＣモジュール１１とが対向するようにストッパ部材１３３を配置したので、ストッパ部材１３３と当接してＩＣカードＣが停止すれば、接触カードＣ１と近接カードＣ２の停止位置が同一となる。
　【００３７】
　センサＳ２，Ｓ３から停行信号Ｖ４とストッパ信号Ｖ５が出力され、かつ、接触カードＣ１に対応する種別信号Ｖ１が図示しないセンサから出力されないと、電磁ソレノイド２２はオンしないので、近接カードＣ２の挿入時における接点ブロック１０のカード走行路９内への進入を防止でき、近接カードＣ２に対する走行抵抗の低減が可能となる。さらに、電磁ソレノイド２２は、カード走行路９の先端側に配置したストッパ部材１３３が動作しないと、すなわち、ストッパ信号Ｖ５が出力されないとオンしないので、接触カードＣ１がストッパ部材１３３に当接するまでは、接点ブロック１０がカード走行路９から退避した状態となり、接触カードＣ１走行時においても走行抵抗の低減が可能となる。
　【００３８】
　本実施例では、接点ブロック１０をカード走行路９の上方に、ＩＣモジュール１１をカード走行路９の下方に配置したが、これに限定されるものではなく、接触カードＣ１の接触端子２がカード走行路９の下面側に位置して搬送される場合、接点ブロック１０は、カード走行路９の下方に配置し、ＩＣモジュール１１をカード走行路９の上方に配置する。要は、接触端子２と当接可能な方向に接点ブロック１０を配置し、接点ブロック１０と対向側にＩＣモジュール１１を設けることが肝心である。
　【００３９】
　本実施例では、制御手段４で磁気カードリーダ１００とＩＣカードリーダ１の双方を制御しているが、ＩＣカードリーダ１だけを単独に制御するものであっても良い。その場合、カード種別信号Ｖ１，Ｖ２を出力する図示しないカードセンサを搬送ローラ対１２０近傍に設け、図示しない駆動モータを搬送機構１２の一部に配置することで、ＩＣカードリーダ１単体でのカード処理が可能となる。
　【００４０】
　【発明の効果】
　請求項１記載の発明によれば、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に当接する接点ブロックと、上記カード走行路を挟んだ他方側の上記カード走行路に近接して
且つ上記接点ブロックと対向するように
　【００４１】
　請求項２記載の発明によれば、カード表面に接触式入出力端子を有する接触式ＩＣカードとカード内に非接触式入出力端子を有する近接型ＩＣカードとが共通走行可能なカード走行路と、上記カード走行路中に位置して上記接触式ＩＣカード及び近接型ＩＣカードの停止位置を規制する共用ストッパーと、上記カード走行路を挟んだ一方側に設けられ上記共用ストッパーにより停止された上記接触式ＩＣカードの接触式入出力端子に接離移動可能に設けられた接点ブロックと、上記カード走行路を挟んだ他方側の上記カード走行路を形成するフレームに
上記接点ブロックと対向するように
た
　【００４２】
　請求項３記載の発明によれば、上記接触式ＩＣカード及び近接型ＩＣカードを上記カード走行路で搬送させると共に、停止信号が入力されると停止する搬送機構を設け、上記接点ブロック及び信号伝達部を上記共用ストッパーにより上記接触式ＩＣカード及び近接型ＩＣカードが停止する所定位置に配置し、上記共用ストッパーを上記カード走行路に対して進退自在とするストッパ機構を設けたので、接触式ＩＣカード及び近接型ＩＣカードの停止位置が安定すると共に、両カードのカード走行路内の通過が可能となり、ＩＣカードリーダと他の機器とのバリエーションを多くすることが可能となる。
　【００４３】
　請求項４記載の発明によれば、上記搬送機構に設けた搬送ローラを、上記接触式ＩＣカード及び近接型ＩＣカードに形成される磁気ストライプやエンボス文字エリアを避けて配置したので、搬送ローラの挟持による磁気ストライプやエンボス文字の汚れや摩耗等が低減され、接触式ＩＣカード及び近接型ＩＣカードの耐久性の向上が可能となる。
【図面の簡単な説明】
　【図１】
　本発明の一実施例を示すＩＣカードリーダの概略構成側面図である。
　【図２】
　本発明の一実施例を示すＩＣカードリーダの正面図である。
　【図３】
　接触式ＩＣカード挿入時のＩＣカードリーダの平面図である。
　【図４】
　近接型ＩＣカード挿入時のＩＣカードリーダの平面図である。
　【図５】
　（ａ）は接触式ＩＣカードの平面図、（ｂ）は近接型ＩＣカードの平面図である。
　【図６】
　接触式入出力端子と接点ブロックの当接状態を示す拡大図である。
　【図７】
　信号伝達部と非接触式入出力端子との信号授受状態を示す拡大図である。
　【符号の説明】
　１　ＩＣカードリーダ
　１Ｄ　フレーム
　２　接触式入出力端子
　３　非接触式入出力端子
　９　カード走行路
　１０　接点ブロック
　１１　信号伝達部
　１２　搬送機構
　１２０、１２１　搬送ローラ対
　１３　ストッパ機構
　１３３　共用ストッパー
　Ｃ１　接触式ＩＣカード
　Ｃ１Ａ　カード表面
　Ｃ２　近接型ＩＣカード
　Ｃ１Ｂ、Ｃ２Ｂ　磁気ストライプ
　Ｃ１ｂ、Ｃ２ｂ　エンボス文字エリア